(57)【要約】      （修正有）【課題】ポータブル電子装置毎にデータバックアップを管理し、多数のポータブル電子装置を使用可能なポータブル電子装置用のデータバックアップ装置を提供する。【解決手段】制御ユニット１と、コンピューターと接続する際に作動する駆動プログラム及びポータブル電子装置と接続する際に作動し、ポータブル電子装置毎にデータバックアップを管理する、データバックアップモデルとデータリカバリーモデルより成るバックアッププログラムを保存する構造のプログラム保存ユニット２とを配する。さらに、制御ユニット１とポータブル電子装置又はコンピューターとの間で信号を伝送する接続インターフェイス３と、データ保存ユニット４と、電源ユニット５と、装置作動状態を表示する表示ユニット８を備える。【選択図】図１
0003173356.tif 000002
【実用新案登録請求の範囲】
【請求項１】
演算処理用の制御ユニット、プログラム保存ユニット、接続インターフェイス、電源ユニット、表示ユニット及びデータ保存ユニットを含み、
前記制御ユニットは、前記プログラム保存ユニット、接続インターフェイス、電源ユニット、表示ユニット及びデータ保存ユニットとの間で信号伝送する構造とし、
前記プログラム保存ユニットは、コンピューターと接続する際に作動する駆動プログラム及びポータブル電子装置と接続する際に作動し、ポータブル電子装置毎にデータバックアップを管理するデータバックアップモデルとデータリカバリーモデルより成るバックアッププログラムを保存する構造とし、
前記接続インターフェイスは、前記制御ユニットとポータブル電子装置又はコンピューターとの間で信号伝送する構造とし、
前記電源ユニットは、前記制御ユニットに給電する構造とし、
前記表示ユニットは、本装置の作動状態を表示する構造とし、
前記データ保存ユニットは、デジタルデータを保存する構造としたことを特徴とするポータブル電子装置用のデータバックアップ装置。
【請求項２】
前記電源ユニットは、バックアップ装置のオン／オフ操作を行なう制御スイッチに接続されていることを特徴とする請求項１に記載のポータブル電子装置用のデータバックアップ装置。
【請求項３】
前記電源ユニットと接続インターフェイスの間に、前記電源ユニットから供給される電圧や電流をポータブル電子装置に適用される電圧や電流に変換する充電ユニットが介在されていることを特徴とする請求項１に記載のポータブル電子装置用のデータバックアップ装置。
【請求項４】
前記プログラム保存ユニットは、メンテナンスモデルを含むバックアッププログラムを保存する構造としたことを特徴とする請求項１〜３のいずれか１項に記載のポータブル電子装置用のデータバックアップ装置。
【請求項５】
前記制御ユニットは、マイクロプロセッサ(CPU)、マイクロコントローラ(Micron)、デジタルシグナルプロセッサ(DSP)、ＡＳＩＣ(IC)、又はプログラマブル論理回路(PLD、CPLD、FPGA)より成ることを特徴とする請求項１〜３のいずれか１項に記載のポータブル電子装置用のデータバックアップ装置。
【請求項６】
前記プログラム保存ユニットは、フラッシュメモリ(Flash Memory)或いは電気的に消去可能な不揮発性メモリ(EEPROM、ROM)より成ることを特徴とする請求項１〜３のいずれか１項に記載のポータブル電子装置用のデータバックアップ装置。
【請求項７】
前記接続インターフェイスは、マイクロＵＳＢ電気コネクター或いはミニＵＳＢ電気コネクターより成ることを特徴とする請求項１〜３のいずれか１項に記載のポータブル電子装置用のデータバックアップ装置。
【請求項８】
前記データ保存ユニットは、ハードディスク(Hard Disk)或いはソリッドステートディスク(SSD)より成ることを特徴とする請求項１〜３のいずれか１項に記載のポータブル電子装置用のデータバックアップ装置。
【請求項９】
前記表示ユニットは、発光ダイオード(LED)パネル或いは液晶パネル(LCD)より成ることを特徴とする請求項１〜３のいずれか１項に記載のポータブル電子装置用のデータバックアップ装置。
【考案の詳細な説明】
【技術分野】
【０００１】
本考案は、複数の携帯電話、タブレットＰＣ等の保存データのバックアップが可能なポータブル電子装置用のデータバックアップ装置に関する。
【背景技術】
【０００２】
ポータブル電子装置の普及とその多機能化に伴い、生活の中で頻繁にポータブル電子装置を通じてインターネット接続、写真撮影、音楽聴取、映画鑑賞、情報のシェア等を行なうユーザーが増加の一途を辿っている。しかしながら、ポータブル電子装置を通じてユーザーの生活面での利便性は大幅に向上されたものの、ポータブル電子装置内に保存されるデータは増加する一方であり、これに応じてデータのプライバシー保護も解決が急がれる問題となっている。
【０００３】
現在、ポータブル電子装置が使用しているシステムにはiOSシステム、Androidシステム、Windows（登録商標） Mangoシステム、RIMシステム等々があるが、システム間のデータは相互に共用することができず、各自のシステムは独自に専用のソフトプログラムを開発し、発展していっている。
【０００４】
現在、ポータブル電子装置内部の保存容量は殆ど１６Ｇ以上であることから、ユーザーはデータをポータブル電子装置に保存し、やむをえない場合でない限り、内部データを整理したり削除したりしない。
【考案の概要】
【考案が解決しようとする課題】
【０００５】
このため、ユーザーの大半は定期的にはポータブル電子装置内部のデータをバックアップする習慣がない。よって、ポータブル電子装置が故障したり紛失したりした場合、内部データがメンテナンス中に外部に流出する可能性があり、さらにはデータが完全に紛失するといった問題があった。
本考案が解決しようとする課題は、ポータブル装置毎にデータバックアップを管理することにより、多数のポータブル電子装置が使用可能なポータブル電子装置用のバックアップ装置を提供することにある。
【課題を解決するための手段】
【０００６】
上記課題を解決するために、本考案のポータブル電子装置用のデータバックアップ装置は、演算処理用の制御ユニット、プログラム保存ユニット、接続インターフェイス、電源ユニット、表示ユニット及びデータ保存ユニットを含み、前記制御ユニットは、前記プログラム保存ユニット、接続インターフェイス、電源ユニット、表示ユニット及びデータ保存ユニットとの間で信号伝送する構造とし、前記プログラム保存ユニットは、コンピューターと接続する際に作動する駆動プログラム及びポータブル電子装置と接続する際に作動し、ポータブル電子装置毎にデータバックアップを管理するデータバックアップモデルとデータリカバリーモデルより成るバックアッププログラムを保存する構造とし、前記接続インターフェイスは、前記制御ユニットとポータブル電子装置又はコンピューターとの間で信号伝送する構造とし、前記電源ユニットは、前記制御ユニットに給電する構造とし、前記表示ユニットは、本装置の作動状態を表示する構造とし、前記データ保存ユニットは、デジタルデータを保存する構造としてある。
【考案の効果】
【０００７】
本考案のポータブル電子装置用のデータバックアップ装置によれば、ポータブル電子装置で入力した異なるアカウントとパスワードに対応して、個別にデータバックアップを管理するので、同時に多数のポータブル電子装置のデータを同一のデータバックアップ装置でバックアップ及びリカバリーすることができ、ポータブル電子装置に保存されているデータの紛失や外部への流出を防止できる。
【図面の簡単な説明】
【０００８】
【図１】本考案の実施形態を示すポータブル電子装置用のデータバックアップ装置の概略図である。
【図２】本考案の実施形態に係るデータバックアップ装置のバックアッププログラム機能の概略図である。
【図３】本考案の実施形態に係るデータバックアップ装置におけるデータバックアッププログラムの実行フローチャートの概略図である。
【図４】本考案の実施形態に係るデータバックアップ装置におけるデータリカバリーモデルの実行フローチャートの概略図である。
【図５】本考案の実施形態に係るデータバックアップ装置におけるメンテナンスモデルの実行フローチャートの概略図である。
【図６】本考案の実施形態を示すポータブル電子装置用のデータバックアップ装置のデータ閲覧時における概略図である。
【考案を実施するための形態】
【０００９】
以下に図面を参照して、本考案を実施するための形態について、詳細に説明する。なお、本考案は、以下に説明する実施形態に限定されるものではない。
図１は、本考案の実施形態を示すポータブル電子装置用のデータバックアップ装置の概略図である。
図１に示すように、本考案のポータブル電子装置用のデータバックアップ装置は、制御ユニット１、プログラム保存ユニット２、接続インターフェイス３、データ保存ユニット４、電源ユニット５、制御スイッチ６、充電ユニット７及び表示ユニット８を含む。
【００１０】
制御ユニット１は、マイクロプロセッサ(CPU)、マイクロコントローラ(Micron)、デジタルシグナルプロセッサ(DSP)、ＡＳＩＣ(IC)、プログラマブル論理回路(PLD、CPLD、FPGA)等より成り、演算処理の中心であると共に、他の各ユニットとの間に信号伝送を行なう構造とする。
【００１１】
プログラム保存ユニット２は、コンピューターを接続する際に必要な駆動プログラムとポータブル電子装置との接続の際に必要なバックアッププログラムを、Windows（登録商標）やLinux（登録商標）システム、又はそれから派生するバーチャル環境、もしくはバーチャル・マシーンに付随する作業システムに保存する構造を有し、制御ユニット１から発信されたコマンドを受信すると共に、制御ユニット１のコマンドに従って作動する。これら駆動プログラムやバックアッププログラムは、コマンドやプログラムコードで構成される。
本実施形態では、プログラム保存ユニット２は、フラッシュメモリ(Flash Memory)や電気的消却・プログラム可能型読取専用メモリー(EEPROM、ROM)より成る。
【００１２】
接続インターフェイス３は、制御ユニット１の信号を受信し、データバックアップ装置とポータブル電子装置やコンピューターとの間の通信インターフェイスであり、マイクロＵＳＢやミニＵＳＢ等といった電気コネクターより成る。
データ保存ユニット４は、制御ユニット１からのコマンドを受信し、主にデジタルデータを保存して使用するためのもので、ハードディスク(Hard Disk)やソリッドステートディスク(SSD)より成る。
電源ユニット５は、内蔵式電池又は外付式電源より成り、制御ユニット１と相互に接続されてデータバックアップ装置に必要な電力を供給する。
【００１３】
制御スイッチ６は、サムホイールスイッチやタクトスイッチより成り、電源ユニット５と相互に接続しており、ユーザーが制御スイッチ６を操作することによりデータバックアップ装置を自由にオン又はオフとすることができる。
充電ユニット７は、電源ユニット５と接続インターフェイス３との間に介在され、電源ユニット５から供給される電圧や電流をポータブル電子装置に適用される電圧や電流の大きさに変換し、接続インターフェイス３を通じてポータブル電子装置を充電する。
表示ユニット８は、発光ダイオード(LED)パネルや液晶パネル(LCD)より成り、制御ユニット１と相互に電気的に接続され、制御ユニット１からの信号を受信して、本装置の作動状態を表示する。
【００１４】
図２は、本考案のポータブル電子装置用のデータバックアップ装置におけるバックアッププログラム機能の概略図である。
本考案のデータバックアップ装置におけるバックアッププログラムは、データバックアップモデル、データリカバリーモデル、及びメンテナンスモデルを含み、ユーザーはポータブル電子装置によりクリックと操作ができる。
以下に上記３種の機能について操作説明をする。
【００１５】
図３は本考案のポータブル電子装置用のデータバックアップ装置におけるバックアッププログラムの実行フローチャートの概略図である。
ユーザーがポータブル電子装置とデータバックアップ装置の接続インターフェイス３とを相互に電気的に接続して、データをバックアップしようとする場合、バックアッププログラムの作動フローチャートは次の通りである。
ステップ１：信号をポータブル電子装置に発信して、ポータブル電子装置で使用される作業システムを判断する。
ステップ２：バックアッププログラムをポータブル電子装置内に伝送する。
ステップ３：ポータブル電子装置は受信次第、バックアッププログラムを実行する。
ステップ４：ユーザーがアカウントとパスワードを入力し、入力し終えるとバックアップ装置内で自動的にアカウントに対応するバックアップデータファイルが作成される。
ステップ５：ユーザーがバックアップモデルの実行を選択すると、バックアップ装置がポータブル電子装置のデータをデータファイル内にバックアップして、データバックアップが終了する。
【００１６】
上記データバックアップのプロセスにおいて、バックアップ装置は表示ユニット８で現時点でのバックアップの状況や状態を表示することで、ユーザーに装置の処理の進捗度が分かるようにする。
【００１７】
図４は本考案のポータブル電子装置用のデータバックアップ装置におけるデータリカバリーモデルの実施概略図である。
ユーザーがバックアップデータをポータブル電子装置にリカバリーさせようとする場合、ポータブル電子装置とバックアップ装置の接続インターフェイス３とを相互に電気的に接続する。データをリカバリーさせようとする際のデータリカバリーモデルの作動フローチャートは次の通りである。
ステップ１：信号をポータブル電子装置に発信すると共に、ポータブル電子装置で使用される作業システムを判断する。
ステップ２：ポータブル電子装置がバックアッププログラムを実行する。
ステップ３：ユーザーがアカウントとパスワードを入力し、入力し終えるとプログラムが自動的にアカウントに対応するデータファイルを検索する。
ステップ４：ユーザーがポータブル電子装置でデータリカバリーモデルをクリックすると、プログラムが自動的にデータファイル内のデータをポータブル電子装置内にコピーして、リカバリープログラムが終了する。
【００１８】
上記データリカバリーのプロセスにおいて、バックアップ装置は表示ユニット８で現時点でのリカバリーの状況や状態を表示することで、ユーザーに装置の処理の進捗度が分かるようにする。
【００１９】
図５は本考案のポータブル電子装置用のデータバックアップ装置におけるメンテナンスモデルの実行フローチャートの概略図である。
ユーザーのポータブル電子装置が売買され、或いは修理に出される場合、バックアップ装置のメンテナンスモデルによりデータのバックアップを行う。メンテナンスモデルのフローチャートは次の通りである。
ステップ１：信号をポータブル電子装置に発信すると共に、ポータブル電子装置で使用される作業システムを判断する。
ステップ２：ポータブル電子装置がバックアッププログラムを実行する。
ステップ３：ユーザーがアカウントとパスワードを入力し、入力し終えるとプログラムが自動的にアカウントに対応するデータファイルを検索する。
ステップ４：ユーザーがポータブル電子装置でメンテナンスモデルをクリックする。
ステップ５：ポータブル電子装置内のデータをデータバックアップ装置にバックアップし、バックアップが終了すると、ポータブル電子装置内部のデータを完全に削除する。
ステップ６：メンテナンスモデルが終了する。
【００２０】
図６は本考案のポータブル電子装置用のデータバックアップ装置におけるデータ閲覧時の概略図である。
ユーザーがコンピューターの中でバックアップデータを複製又は削除しようとする場合、バックアップ装置の接続インターフェイス３とコンピューターの接続インターフェイスとを電気的に接続することによって、バックアップ装置とコンピューターが電気的に接続されると、バックアップ装置が先ずコンピューターに駆動プログラムを実行して、コンピューターがバックアップ装置を識別できるようにする。バックアップ装置はコンピューターの作業システムを判読して確認した上で、バックアッププログラムを実行すると共に、ユーザーにアカウントとパスワードの入力を要求する。ユーザーがコンピューターでアカウントとパスワードを正確に入力すると、バックアップ装置内に入ると共に、ユーザーはコンピューターでアカウントに対応するデータファイル内容のみが閲覧可能となり、ユーザーにバックアップ装置の対応するデータに関する複製又は削除を可能とする一方、他のユーザーのデータが不当に使用されないよう保護する。
【００２１】
本考案は上記実施形態に限定されるものではなく、考案の要旨を逸脱しない範囲において、種々の形態で実施することができる。
【符号の説明】
【００２２】
１  制御ユニット
２  プログラム保存ユニット
３  接続インターフェイス
４  データ保存ユニット
５  電源ユニット
６  制御スイッチ
７  充電ユニット
８  表示ユニット
【図１】
0003173356.tif 000003
【図２】
0003173356.tif 000004
【図３】
0003173356.tif 000005
【図４】
0003173356.tif 000006
【図５】
0003173356.tif 000007
【図６】
0003173356.tif 000008